(57)【要約】【課題】搬送路中の記録紙の画像をガイド対向部材８３で擦ってしまうことによる画像の乱れや汚れの発生を回避しつつ、記録紙を拍車８２に引っ掛けてしまうことによるジャム処理操作性の悪化を回避することができる画像形成装置を提供する。【解決手段】搬送路中で記録紙の裏面に接触しながら記録紙を案内する図示しないガイド部材に対向するガイド対向部材の裏面に突設せしめられた複数のリブ８３ｂに複数の保持溝８３ｃを設けた。また、複数の突起を搬送路内の記録紙の画像記録面に接触させながら記録紙を押さえる拍車８２と、これを回転可能に保持する拍車保持体８４との組合せを、その保持溝８３ｃに係合させて、保持溝８３ｃ内でスライド移動可能にした。そして、拍車８２の突起を搬送路の中に位置させる押さえ位置と、突起を搬送路の外に待避させる待避位置との間で拍車８２及び拍車保持体８４の組合せを移動可能にした。【選択図】図１０
2008023902.tif 000002
【特許請求の範囲】
【請求項１】
自らの回転軌道上に突設せしめられた複数の突起を搬送路内の記録部材の画像記録面に接触させながら該記録部材を押さえる拍車と、該拍車を回転可能に保持する拍車保持体と、該搬送路内の記録部材の裏面に接触して該記録部材を案内するガイド部材と、該ガイド部材に所定の間隙を介して対向して該ガイド部材との間に該搬送路を形成するガイド対向部材とを備える記録部材搬送装置において、
上記拍車の上記突起を上記搬送路の中に位置させて該搬送路内の上記記録部材を該突起によって押さえさせる押さえ位置と、該突起を該搬送路の外に待避させる待避位置との間で該拍車及び上記拍車保持体の組合せを移動可能にしたことを特徴とする画像形成装置。
【請求項２】
請求項１の画像形成装置において、
上記押さえ位置と上記待避位置との間で上記組合せを移動せしめる拍車移動手段を設けたことを特徴とする記録部材搬送装置。
【請求項３】
請求項１又は２の記録部材搬送装置において、
上記ガイド対向部材として、上記拍車保持体を上記押さえ位置側と上記待避位置側との間でスライド移動可能に保持する保持部と、該拍車保持体とともに該待避位置側から該押さえ位置側に移動してきた上記拍車の上記突起を受け入れて該ガイド対向部材のおもて面よりも上記搬送路に向けて突出させる開口とを設けたものを用いるとともに、
該ガイド対向部材の該保持部として、上記拍車保持体をスライド移動可能に保持することで上記組合せを上記押さえ位置と上記待避位置との間で移動可能にするもの、を用いたことを特徴とする記録部材搬送装置。
【請求項４】
請求項３の記録部材搬送装置において、
上記ガイド対向部材として、上記保持部と上記開口との組合せを複数設けたものを用いたことを特徴とする記録部材搬送装置。
【請求項５】
請求項４の記録部材搬送装置において、
上記ガイド対向部材として、上記開口を記録部材搬送方向に沿って複数設けたものを用いるとともに、
上記押さえ位置と上記待避位置との間で上記拍車と上記拍車保持体との組合せを移動せしめる拍車移動手段として、それら複数の上記開口に対応する複数の上記拍車保持体にそれぞれ係合する複数の係合部を有する係合部材の動きにより、それら複数の上記拍車保持体を上記押さえ位置側と上記待避位置側との間で移動させるもの、を設けたことを特徴とする記録部材搬送装置。
【請求項６】
請求項４又は５の記録部材搬送装置において、
上記ガイド対向部材として、そのおもて面方向に沿う方向であって且つ記録部材搬送方向に直交する方向に並べて上記開口を複数設けたものを用いるとともに、
上記押さえ位置と上記待避位置との間で上記拍車と上記拍車保持体との組合せを移動せしめる拍車移動手段として、該方向に延在する軸部材の回動により、それら複数の上記開口に対応する複数の上記拍車保持体を上記押さえ位置側と上記待避位置側との間で移動させるもの、を設けたことを特徴とする記録部材搬送装置。
【請求項７】
請求項３乃至６の何れかの記録部材搬送装置において、
上記ガイド部材として、上記ガイド対向部材に対向する搬送路形成位置と、該搬送路形成位置から待避することで該搬送路内に滞った記録部材を露出させる待避位置との間で移動可能にしたものを用いたことを特徴とする記録部材搬送装置。
【請求項８】
請求項７の記録部材搬送装置において、
上記押さえ位置と上記待避位置との間で上記拍車と上記拍車保持体との組合せを移動せしめる拍車移動手段として、上記ガイド部材の移動に連動して上記拍車保持体を移動させるもの、を設けたことを特徴とする記録部材搬送装置。
【請求項９】
請求項３乃至７の何れかの記録部材搬送装置において、
上記押さえ位置と上記待避位置との間で上記拍車と上記拍車保持体との組合せを移動せしめる拍車移動手段として、駆動源の駆動力によって上記拍車保持体を移動させるもの、を設けたことを特徴とする記録部材搬送装置。
【請求項１０】
記録部材に画像を形成する画像形成手段と、該画像形成手段によって画像が記録された後の記録部材を搬送する記録部材搬送手段とを備える画像形成装置において、
上記記録部材搬送手段として、請求項１乃至９の何れかのものを用いたことを特徴とする画像形成装置。
【発明の詳細な説明】
【技術分野】
【０００１】
本発明は、画像が形成された後の記録紙等の記録部材を搬送する記録部材搬送装置、及びこれを用いる複写機、プリンタ、ファクシミリ等の画像形成装置に関するものである。
【背景技術】
【０００２】
従来の画像形成装置においては、画像が形成された直後の記録部材を機外に向けて搬送している途中で画像を擦ってしまうことにより、画像の乱れや汚れを発生させることがあった。具体的には、インクジェット方式の画像形成装置では、画像形成直後の記録部材のインクが完全に乾いていない。このような状態の記録部材の画像形成面がガイド板に摺擦すると、インクがガイド板に転移した後、後続の記録部材に再転移してインク汚れを引き起こしてしまう。また、電子写真方式の画像形成装置では、記録部材に対する画像形成処理を行う画像形成部から、定着装置に向けて搬送されている途中の記録部材が未定着のトナーを担持している。このような状態の記録部材の画像形成面がガイド板に摺擦すると、トナーがガイド板に擦られて画像を乱したり、トナーがガイド板に転移した後、後続の記録部材に再転移してトナー汚れを引き起こしたりする。
【０００３】
そこで、画像形成直後の記録部材の画像形成面に点接触しながら回転する拍車により、記録部材を画像形成面側から裏面側に向けて押さえ付けることで、画像形成面とガイド板との摺擦を回避するようにした画像形成装置が知られている（例えば、特許文献１や特許文献２に記載のもの）。
【０００４】
【特許文献１】特開平１０−１６６６６９号公報
【特許文献２】特開平１０−１７１２０５号公報
【発明の開示】
【発明が解決しようとする課題】
【０００５】
このような構成の画像形成装置においては、搬送路中でジャムを起こした記録部材を取り除く際に、搬送路内にある拍車の突起が記録部材に引っ掛かることでジャム処理操作性を悪化させてしまうという問題があった。
【０００６】
なお、２枚のガイド板の間に搬送路を形成し、一方のガイド板を筺体に設けられた開閉扉の開動作に伴って他方のガイド板から大きく離間させることで、筺体内の搬送路を外部に露出させるようにした画像形成装置が従来から広く実用化されている。かかる構成の画像形成装置においても、搬送路中でジャムを起こした記録部材を操作者が除去する方向によっては、装置本体あるいは開閉扉に固定された拍車に記録部材を引っ掛けてしまうおそれがある。
【０００７】
本発明は、以上の背景に鑑みなされたものであり、その目的とするところは、次のような記録部材搬送装置及びこれを用いる画像形成装置を提供することである。即ち、搬送路中の記録部材の画像をガイド板等のガイド部材で擦ってしまうことによる画像の乱れや汚れの発生を回避しつつ、記録部材を拍車に引っ掛けてしまうことによるジャム処理操作性の悪化を回避することができる記録部材搬送装置等である。
【課題を解決するための手段】
【０００８】
上記目的を達成するために、請求項１の発明は、自らの回転軌道上に突設せしめられた複数の突起を搬送路内の記録部材の画像記録面に接触させながら該記録部材を押さえる拍車と、該拍車を回転可能に保持する拍車保持体と、該搬送路内の記録部材の裏面に接触して該記録部材を案内するガイド部材と、該ガイド部材に所定の間隙を介して対向して該ガイド部材との間に該搬送路を形成するガイド対向部材とを備える記録部材搬送装置において、上記拍車の上記突起を上記搬送路の中に位置させて該搬送路内の上記記録部材を該突起によって押さえさせる押さえ位置と、該突起を該搬送路の外に待避させる待避位置との間で該拍車及び上記拍車保持体の組合せを移動可能にしたことを特徴とするものである。
また、請求項２の発明は、請求項１の画像形成装置において、上記押さえ位置と上記待避位置との間で上記組合せを移動せしめる拍車移動手段を設けたことを特徴とするものである。
また、請求項３の発明は、請求項１又は２の記録部材搬送装置において、上記ガイド対向部材として、上記拍車保持体を上記押さえ位置側と上記待避位置側との間でスライド移動可能に保持する保持部と、該拍車保持体とともに該待避位置側から該押さえ位置側に移動してきた上記拍車の上記突起を受け入れて該ガイド対向部材のおもて面よりも上記搬送路に向けて突出させる開口とを設けたものを用いるとともに、該ガイド対向部材の該保持部として、上記拍車保持体をスライド移動可能に保持することで上記組合せを上記押さえ位置と上記待避位置との間で移動可能にするもの、を用いたことを特徴とするものである。
また、請求項４の発明は、請求項３の記録部材搬送装置において、上記ガイド対向部材として、上記保持部と上記開口との組合せを複数設けたものを用いたことを特徴とするものである。
また、請求項５の発明は、請求項４の記録部材搬送装置において、上記ガイド対向部材として、上記開口を記録部材搬送方向に沿って複数設けたものを用いるとともに、上記押さえ位置と上記待避位置との間で上記拍車と上記拍車保持体との組合せを移動せしめる拍車移動手段として、それら複数の上記開口に対応する複数の上記拍車保持体にそれぞれ係合する複数の係合部を有する係合部材の動きにより、それら複数の上記拍車保持体を上記押さえ位置側と上記待避位置側との間で移動させるもの、を設けたことを特徴とするものである。
また、請求項６の発明は、請求項４又は５の記録部材搬送装置において、上記ガイド対向部材として、そのおもて面方向に沿う方向であって且つ記録部材搬送方向に直交する方向に並べて上記開口を複数設けたものを用いるとともに、上記押さえ位置と上記待避位置との間で上記拍車と上記拍車保持体との組合せを移動せしめる拍車移動手段として、該方向に延在する軸部材の回動により、それら複数の上記開口に対応する複数の上記拍車保持体を上記押さえ位置側と上記待避位置側との間で移動させるもの、を設けたことを特徴とするものである。
また、請求項７の発明は、請求項３乃至６の何れかの記録部材搬送装置において、上記ガイド部材として、上記ガイド対向部材に対向する搬送路形成位置と、該搬送路形成位置から待避することで該搬送路内に滞った記録部材を露出させる待避位置との間で移動可能にしたものを用いたことを特徴とするものである。
また、請求項８の発明は、請求項７の記録部材搬送装置において、上記押さえ位置と上記待避位置との間で上記拍車と上記拍車保持体との組合せを移動せしめる拍車移動手段として、上記ガイド部材の移動に連動して上記拍車保持体を移動させるもの、を設けたことを特徴とするものである。
また、請求項９の発明は、請求項３乃至７の何れかの記録部材搬送装置において、上記押さえ位置と上記待避位置との間で上記拍車と上記拍車保持体との組合せを移動せしめる拍車移動手段として、駆動源の駆動力によって上記拍車保持体を移動させるもの、を設けたことを特徴とするものである。
また、請求項１０の発明は、記録部材に画像を形成する画像形成手段と、該画像形成手段によって画像が記録された後の記録部材を搬送する記録部材搬送手段とを備える画像形成装置において、上記記録部材搬送手段として、請求項１乃至９の何れかのものを用いたことを特徴とするものである。
【発明の効果】
【０００９】
これらの発明においては、搬送路中の記録部材を拍車によって画像記録面側から抑えることで、搬送路中の記録部材の画像をガイド部材で擦ってしまうことによる画像の乱れや汚れの発生を回避することができる。更に、拍車が待避位置に移動することで、その突起を搬送路中の記録部材に接触させなくなる。このような状態で記録部材を搬送路中から除去すれば、記録部材を拍車に引っ掛けてしまうことによるジャム処理操作性の悪化を回避することができる。
【発明を実施するための最良の形態】
【００１０】
以下、本発明を適用した画像形成装置の一実施形態として、インクジェット方式の複写機について説明する。
図１は本実施形態に係る複写機を示す概略構成図である。同図において、複写機１は、原稿の画像を読み取るための画像読取部（スキャナ部）１１を筐体の上部に有している。この画像読取部１１は、照明光源１３とミラー１４とを含む光学系１５と、ミラー１６、１７を含む光学系１８とを移動させながら、コンタクトガラス１２上に載置された原稿の画像を読み取りのために光走査する。この光走査によって得られた原稿反射光が、レンズ１９の後方に配置された画像読み取り素子２０で画像信号として読み込まれ、読み込まれた画像信号がデジタル化された後、画像処理される。そして、この画像処理の画像情報に基づいて、記録紙５に対する画像形成が行われる。
【００１１】
なお、本複写機は、画像読取部１１によって読み取った原稿画像に基づく画像を形成する他に、外部のパーソナルコンピュータ等の情報処理装置、イメージスキャナなどの画像読取り装置、デジタルカメラなどの撮像装置などから送られてくる画像情報にも基づいて、画像を形成することができる。
【００１２】
筐体内の底部付近には、給紙部４が設けられており、給紙カセット４１に内包している紙束から記録紙５を１枚ずつ取り出して給紙路に向けて送り出す。給紙カセット４１は、筐体の前面側から抜き差し可能である。そして、内部の紙束における一番上の記録紙５を分離して送り出すための給紙コロ４２及びフリクションパッド４３を有している。また、筐体の下側にオプションで装着される両面ユニット１０から筐体内に向けて送り込まれる記録紙５を受け入れるための受入ローラ４８や、記録紙５を後述する画像形成部２に向けて搬送する搬送ローラ対４９なども有している。給紙コロ４２など、記録紙５を後述の画像形成部２に向けて搬送する部材は、図示しない給紙クラッチを介してＨＢ型ステッピングモータからなる給紙モータ（駆動手段）４５によって回転駆動される。
【００１３】
給紙路に送り込まれた記録紙５は、やがて副走査搬送部３と画像形成部２との間に形成された走査搬送位置に進入する。この走査搬送位置では、画像形成部２が記録紙５に向けて液滴を吐出して所要の画像を形成（記録）する。
【００１４】
画像形成部２は、図２に示すように、キャリッジ２３をガイドロッド２１及び図示しないガイドステーによって主走査方向に移動可能に保持している。キャリッジ２３は、主走査モータ２７によって回転駆動される駆動プーリー２８Ａと、従動プーリー２８Ｂとの間に架け渡されたタイミングベルト２９の張架部分に連結されており、ベルトの移動に伴って主走査方向に移動せしめられる。
【００１５】
キャリッジ２３の上には、上述の走査搬送位置で搬送される記録紙５にインクの液滴を吐出して画像を記録する記録ヘッド２４が搭載されている。この記録ヘッド２４は、互いに主走査方向に並びながらイエロー（ｙ），マゼンタ（ｍ），シアン（ｃ），黒（ｋ）のインクを吐出するｙ，ｍ，ｃ，ｋ液滴吐出ヘッド２４ｙ，２４ｍ，２４ｃ、２４ｋを有している。なお、印字頻度の比較的高いｋについては、２つのｋ液滴吐出ヘッド２４ｋ１，２４ｋ２が搭載されている。
【００１６】
記録ヘッド２４としては、インク流路内（圧力発生室）のインクを加圧する圧力発生手段（アクチュエータ手段）として圧電素子を用いてインク流路の壁面を形成する振動板を変形させてインク流路内容積を変化させてインク滴を吐出させるいわゆるピエゾ型のものを例示することができる。また、発熱抵抗体を用いてインク流路内でインクを加熱して気泡を発生させることによる圧力でインク滴を吐出させるいわゆるサーマル型のものでもよい。また、インク流路の壁面を形成する振動板と電極とを対向配置し、振動板と電極との間に発生させる静電力によって振動板を変形させることで、インク流路内容積を変化させてインク滴を吐出させる静電型のものでもよい。
【００１７】
キャリッジ２３の走査方向一方側の非印字領域には、記録ヘッド２４のノズルの状態を一定に維持するための維持回復装置１２１が配置されている。この維持回復装置１２１は、５個の液滴吐出ヘッド（２４ｙ〜２４ｋ２）のノズル面をそれぞれ個別にキャッピングするための５個の保湿用キャップ１２２ｋ２、１２２ｋ１、１２２ｃ、１２２ｍ、１２２ｙを有している。また、吸引用キャップ１２３、ノズル面をワイピングするためのワイパーブレード１２４、記録（画像形成）に寄与しない液滴の吐出（空吐出）を行わせるための空吐出受け部材１２５なども有している。
【００１８】
キャリッジ２３の走査方向他方側の非印字領域には、５個の液滴吐出ヘッド（２４ｙ〜２４ｋ２）から画像形成に寄与しない液滴の吐出（空吐出）を行わせるための空吐出受け部材１２６が配設されている。この空吐出受け部材１２６には、液滴吐出ヘッド２４ｙ，２４ｍ，２４ｃ，２４ｋ１，２４ｋ２にそれぞれ個別に対応する開口１２７ｙ，１２７ｍ，１２７ｃ，１２７ｋ１，１２７ｋ２が設けられている。
【００１９】
各色の液滴突出ヘッド（２４ｙ〜２４ｋ２）に対しては、図１に示したように、キャリッジ２３上に搭載されたサブタンク２５からそれぞれ対応色のインクが供給される。このサブタンク２５は、ｙ，ｍ，ｃ，ｋのインクをそれぞれ独立させた状態で貯留することができる。
【００２０】
給紙カセット４１の上方には、ｙ，ｍ，ｃ，ｋインクを収容するインクカートリッジ２６ｙ，２６ｍ，２６ｃ，２６ｋが着脱可能に装着されている。これらインクカートリッジ内に収容されたｙ，ｍ，ｃ，ｋインクは、それぞれ必要に応じてキャリッジ２３上のサブタンク５内に補給される。
【００２１】
画像形成部２との間に走査搬送位置を形成する副走査搬送部３は、図３に示すように、無端帯状の搬送ベルト３１を、従動ローラ３３と、回転駆動される駆動ローラ３２とによって張架しながら、図中反時計回り方向に無端移動せしめる。搬送ベルト３１のおもて面には、図示しない高圧電源から出力される交流電圧が印加される帯電ローラ３４が当接しており、前記おもて面は帯電ローラ３４からの放電によって帯電する。この帯電により、給紙路内から走査搬送位置に進入した記録紙５が搬送ベルト３１のおもて面に吸着せしめられる。
【００２２】
給紙路の末端から走査搬送位置に向けて送られてきた記録紙５は、搬送ベルト３１と、これのおもて面に当接する押さえコロ３６とによって形成されている受入ニップに進入する。そして、帯電ローラ３４によって帯電せしめられた搬送ベルト３１のおもて面に静電吸着した後、搬送ベルト３１の無端移動に伴って副走査方向に搬送される。
【００２３】
走査搬送位置では、板状の走査ガイド部材３５が搬送ベルト３１の上部張架部に裏面側から当接している。これにより、走査搬送位置における搬送ベルト３１の波打ちが抑えられている。
【００２４】
駆動ローラ３２の回転軸には、タイミングローラ１３３が固定されている。駆動ローラ３２は、副走査モータ１３１の回転駆動力が、タイミングベルト１３２とタイミングローラ１３３とを介して駆動ローラ３２に伝達されることにより、駆動ローラ３２が回転駆動される。そして、この回転駆動に伴って搬送ベルト３１が無端移動せしめられる。
【００２５】
搬送ベルト３１は、抵抗制御剤を含有しない純粋な樹脂材、例えばＥＴＦＥピュア材で形成された用紙吸着面となる表層と、この表層と同材質でカーボンによる抵抗制御を行った裏層（中抵抗層、アース層）との２層構造としているが、これに限るものではなく、１層構造あるいは３層以上の構造でも良い。
【００２６】
搬送ベルト３１の無端移動に伴って走査搬送位置を通過した記録紙５は、分離爪３７によってベルトおもて面から分離される。
【００２７】
分離爪３７との当接位置を通過したベルト表面は、表面に付着している紙粉等の汚れがベルトクリーニング手段１３５によって除去された後、除電ブラシ１３６に接触して除電される。
【００２８】
搬送ベルト３１から分離された記録紙５は、図１に示した記録後搬送部７に受け渡される。この記録後搬送部７は、記録紙５の画像記録面に対向する上ガイド部材７４と、記録紙５の裏面に対向する下ガイド部材７３との間に記録後搬送路７０を形成している。そして、上ガイド部材７４は、記録紙５の搬送方向とこれと直交する方向とに格子状に配設された複数の拍車７２をそれぞれ回動自在に保持している。また、下ガイド部材７３は、記録紙５の搬送方向とこれに直交する方向とに格子状に配設された複数の搬送コロ７１をそれぞれ回転自在に保持している。
【００２９】
複数の搬送コロ７１は、図示しない駆動手段からの駆動伝達によってそれぞれ回転駆動せしめられる。また、複数の拍車７２は、回動軌道に沿って並ぶ複数の鋭利な突起を有しており、これら突起を複数の搬送コロ７１のうち、自らに対応する搬送コロ７１に当接させている。
【００３０】
副走査搬送部３から記録後搬送部７に受け渡された記録紙５は、記録後搬送路７０内において、拍車７２と搬送コロ７１との間に挟み込まれながら、搬送コロ７１の回転に伴って水平方向に搬送される。この際、自らの突起を記録紙５の画像記録面に点接触させた拍車７２が記録紙５を下ガイド部材７３に向けて押さえ付ける。これにより、記録紙５の画像記録面上の乾いていないインクと、上ガイド部材７４との接触によるインク汚れや画像乱れが回避される。
【００３１】
記録後搬送部７の側方には、揺動軸を中心にして揺動可能な第１切替爪６０が配設されている。この第１切替爪６０は、その揺動位置により、記録後搬送部７から送り出されてくる記録紙５における以降の搬送方向を、反転排紙部７６に向かう方向と、オプションの両面ユニット１０に向かう方向と、ストレート排紙路とで切り替えるようになっている。
【００３２】
第１切替爪６０によって搬送方向が両面ユニット１０に向かう方向に設定されている場合には、記録後搬送路７から送り出された記録紙５が両面ユニット１０の下降反転部９０に送り込まれる。そして、下降反転部９０の下降反転搬送路９０ｃに設けられた複数の搬送コロ対９１によって上下反転せしめられながら搬送されて、両面ユニット１０の水平搬送路９０ａ内に進入する。この水平搬送路９０ａは水平方向に延在しており、受け入れた記録紙５を搬送コロ対９３のコロ間に挟み込みながら水平方向に搬送する。
【００３３】
両面ユニット１０は、水平搬送路９０ａの直下に、スイッチバック搬送路９０ｂを有している。水平搬送路９０ａから送り出された記録紙５は、揺動駆動可能な第２切替爪９６に接触して再び上下反転せしめられながらこのスイッチバック搬送路９０ｂ内に進入する。そして、スイッチバック搬送路９０ｂ内に設けられた複数の搬送コロ対９５のコロ間に挟み込まれながら、水平搬送路９０ａとは逆方向に搬送される。
【００３４】
記録紙５の後端がスイッチバック搬送路９０ｂ内に進入すると、両面ユニット１０はスイッチバック搬送路９０ｂ内の搬送コロ対９５の回転駆動方向を逆転させ始める。また、これとほぼ同じタイミングで、第２切替爪９６を所定の角度だけ回転させる。すると、記録紙５がそれまでの後端側を先頭にしてスイッチバック搬送路９０ｂ内をスイッチバックして、両面排出路内に進入する。そして、両面搬送路から複写機本体の給紙部４に受け渡された後、更に上下反転せしめられながら、画像形成部２と副走査搬送部３との間の走査搬送位置に再供給される。
【００３５】
走査搬送位置に再供給された記録紙５は、先の画像形成面とは反対側の裏面を画像形成部２に対向させている。そして、走査搬送位置で副走査方向に搬送されるのに伴って、その裏面にも画像が記録された後、再び記録後搬送部７に受け渡される。
【００３６】
記録後搬送部７の側方に配設された第１切替爪６０によって搬送方向が反転排紙部７６に向かう方向に設定されている場合には、記録後搬送路７０から送り出された記録紙５が反転排紙部７６に送り込まれる。そして、反転排紙部７６の反転排紙路８１内で、反転ローラ対７７のローラ間や、排紙ローラ対７８のローラ間に挟み込まれて、上下反転せしめられながら機外に向けて排出される。排出された記録紙５は、画像形成部２等を内包するプリント部の筐体の上面に設けられたスタック部８９上にスタックされる。
【００３７】
第１切替爪６０によって搬送方向がストレート排紙路に向かう方向に設定されている場合には、記録後搬送路７から送り出された記録紙５がそのままストレートに搬送されて、筐体の図中左側方に向けて排紙される。そして、筐体の側面に設けられた排紙トレイ８８上にスタックされる。
【００３８】
図４は、記録後搬送部７と反転排紙部７６とを示す拡大構成図である。同図の記録後搬送部７において、複数の拍車７２を回動可能に保持している上ガイド部材７４は、紙搬送方向の下流側端部付近に設けられた回動軸７４ａを中心にして回動するようになっている。そして、定常時には図示のように各拍車７２を下ガイド部材７３に回転可能に保持される複数の搬送コロ７１に当接させる位置で、その回動が係止されている。
【００３９】
反転排紙部７６は、反転ローラ対７７、排紙ローラ対７８、開閉扉７９、ガイド部材８０、反転排紙路８１、複数の拍車８２、ガイド対向部材８３、カム部材１１０等を有している。
【００４０】
開閉扉７９は、上述の画像形成部（２）などを内包するプリント部の筐体の側面に設けられ、回動軸７９ａを中心にして回動することで、筺体の外部に対して筺体の内部を開閉する。
【００４１】
反転排紙路８１は、開閉扉７９が筺体に対して閉じられている状態で所定の間隙を介して対向するガイド部材８０とガイド対向部材８３との間に形成されている。
【００４２】
反転排紙部７６のガイド部材８０は、反転排紙路８１内の記録紙５の画像記録面（両面プリント時には２回目の記録面）とは反対側の面である裏面に接触しながら記録紙（５）をスタック部（８）に向けて案内する。
【００４３】
ガイド対向部材８３は、反転排紙路８１内の記録紙５の画像記録面（両面プリント時には２回目の記録面）に対向するように配設されている。複数の拍車８２はそれぞれ図示しない拍車保持体に回動自在に保持されており、この拍車保持体はガイド対向部材８３によって紙厚方向にスライド移動可能に保持されている。なお、同図においては、便宜上、拍車８２を実線で示しているが、実際には、拍車８２はガイド対向部材８３における図紙面に直交する方向の手前側端面よりも奥側に配設されており、その一部は前記手間側が端面に隠れて見えない状態になっている。
【００４４】
先に示した図１において、記録後搬送部７の記録後搬送路７０でジャムが発生した場合には、操作者は、まず、プリント部の筐体の上部に開閉可能に設けられた図示しない上カバーを開放する。すると、筐体内の記録後搬送部７の上ガイド部材７４や、画像形成部２が外部に露出する。この状態で、図４に示した回動軸７４ａを中心にして上ガイド部材７４を図中反時計回り方向に所定角度だけ回転させると、図５に示すように、反転排紙路７０が露出する。同図では、便宜上、図示を省略しているが、ジャムが発生した場合には、この状態で下ガイド部材７３上の記録紙が露出する。よって、露出した記録紙を取り出すことで、ジャム処理を容易に行うことができる。
【００４５】
次に、本複写機の特徴的な構成について説明する。
同図の反転排紙部７６において、ガイド部材８０は、搬送路たる反転排紙路８１内の図示しない記録紙の裏面に接触して記録紙を排紙ローラ対７８に向けて案内する。また、ガイド対向部材８３は、ガイド部材８０に所定の間隙を介して対向してガイド部材８０との間に反転排紙路８１を形成している。
【００４６】
本複写機は、上述したように、反転排紙部７６にも複数の拍車８２を有している。これらの拍車８２は、それぞれ図示しない拍車保持体によって回動自在に保持されており、自らの回転軌道上に突設せしめられた複数の突起を搬送路たる反転排紙路８１内の記録紙の画像記録面に点接触させながら記録紙をガイド部材８０に向けて押さえる。これにより、反転排紙路８１内において、記録紙の画像記録面とガイド対向部材８３との摺擦が回避される。よって、記録紙の画像記録面の未乾燥画像をガイド対向部材８３で擦ってしまうことによるインク汚れや画像の乱れを回避することができる。
【００４７】
本複写機のプリンタ部の筐体側面側には、開閉扉７９が設けられており、これは回動軸７９ａを中心にして回動することで、筐体に対して開いたり閉じたりする。同図は、開閉扉７９が筐体に対して閉じている状態を示しており、この状態では、上述したように、ガイド部材８０とガイド対向部材８３とが所定の間隙を介して対向して、反転排紙路８１を形成している。
【００４８】
ガイド部材８０は、この開閉扉７９に固定されており、開閉扉７９の開閉動作に伴って移動する。開閉扉７９が筐体に対して開かれると、図６に示すように、反転排紙路８１が外部に向けて大きく露出する。反転排紙路８１内でジャムが発生した場合には、操作者はこのようにして反転排紙路８１を露出させた後、そこに詰まっている記録紙を取り除く。
【００４９】
図７は、反転排紙部７６のガイド対向部材８３を図示しない開閉扉（７９）側から示す斜視図である。なお、同図は、図示しない開閉扉が筐体に対して閉じられている状態におけるガイド対向部材８３を示している。また、符号７７ａで示される部材は、先に図１に示した反転ローラ対７７の一方のローラである。図７において、ガイド対向部材８３は、複数の開口を有しており、それぞれの開口から拍車８２の一部を露出させている。これら開口や拍車８２は、図示しない記録紙搬送方向と、これに直交する部材表面方向とに格子状に並んでいる。記録紙搬送方向に６個、これに直交する部材表面方向に１０個、それぞれ並んでいるので、開口や拍車８２は合計で６０個設けられている。このように多くの拍車８２が存在するので、ジャム処理時にこれら複数の拍車８２に引っ掛かり易い。
【００５０】
そこで、本複写機においては、それら拍車８２を移動させる拍車移動手段を設けている。具体的には、複数の拍車８２は、それぞれ図８に示すように、拍車保持体８４によって回動自在に保持されている。そして、この拍車８３は、側面から突出する円柱状のピン８４ａを有している。拍車移動手段は、これら拍車８２と拍車保持体８４との組み合わせを移動させることができる。
【００５１】
図９は、ガイド対向部材８３の一部をその裏面側から示す拡大斜視図である。ガイド対向部材８３のおもて面側には、図示しない反転排紙路の形状に沿って湾曲する湾曲板部８３ａが設けられている。また、ガイド対向部材８３の裏面側には、複数のリブ８３ｂが紙搬送方向と直交する方向に複数並ぶように突設せしめられており、それぞれ紙搬送方向に沿って延在している。これらリブ８３ｂには、それぞれ複数の保持溝８３ｃがリブ延在方向（紙搬送方向）に並ぶように複数設けられている。そして、それら保持溝８３ｃのガイド対向部材おもて面側は、それぞれ開口８３ｄになっている。これら開口８３ｄは、先に図７に示したように、反転排紙路内に向けて拍車８２の突起を突出させるためのものである。
【００５２】
図９においては、便宜上、リブ８３ｂを２本しか示していないが、実際には、リブ８３ｂが図中左右方向（紙搬送方向と直交する方向）に１０本並んでいる。また、それぞれのリブ８３ｂに保持溝８３ｃを３個ずつしか示していないが、実際には、保持溝８３ｃがリブ延在方向に６個並んでいる。
【００５３】
それぞれの保持溝８３ｃには、図１０に示すように、拍車保持体８４がリブ突設方向にスライド移動可能に係合せしめられる。即ち、保持溝８３ｃは、拍車保持体８４をリブ突設方向にスライド移動可能に保持する。保持溝８３ｃに係合している拍車保持体８４は、自らが回動自在に保持する拍車８２をガイド対向部材の開口８３ｄの方に向けている。拍車保持体８４がガイド対向部材の裏面側（図中手前側）からおもて面側（図中奥側）に向けてスライド移動せしめられると、拍車保持体８４の先端部とともに、その先端部に保持されている拍車８２が開口８３ｄを通過する。すると、図１１に示すように、拍車８２がガイド対向部材８３のおもて面から反転排紙路８１内に向けて突出する。複数の拍車８２がそれぞれこのようにして開口８３ｄを通過することで、先に図７に示したように、それぞれガイド対向部材８３のおもて面から反転排紙路に向けて突出する。
【００５４】
一方、先に示した図１０において、拍車保持体８４がガイド対向部材のおもて面側から裏面側に向けてスライド移動せしめられると、拍車保持体８４の先端部とともに、その先端部に保持されている拍車８２が保持部たる保持溝８３ｃ内に収容される。すると、図１２に示すように、拍車８２が反転排紙路８１の外に待避する。拍車移動手段は、このように、拍車保持体８４を保持溝８３ｃ内でスライド移動せしめることで、拍車８２の突起を反転排紙路８１の中に位置させて反転排紙路８１内の記録紙を突起によって押さえさせる押さえ位置と、突起を反転排紙路８１の外に待避させる待避位置との間で拍車８２及び拍車保持体８４の組合せを移動させる。
【００５５】
図１３は、反転排紙部７６をガイド対向部材８３の裏面側から示す斜視図である。同図において、ガイド対向部材８３の後方には、反転排紙路内の紙搬送方向と直交する方向に延在する第１回動軸部材１１１と第２回動軸部材１１２とが、上下方向に並ぶように配設されている。これら第１回動軸部材１１１、第２回動軸部材１１２は、それぞれ回動可能に支持されており、軸線方向に並ぶ１０個のカム部材１１０が固定されている。第１回動軸部材１１１が回動すると、これに固定された１０個のカム部材１１０がそれぞれ揺動する。また、第２回動軸部材１１２が回動すると、これに固定された１０個のカム部材１１０がそれぞれ揺動する。
【００５６】
図１４は、第２回動軸部材１１２の一部をこれに固定されたカム部材１１０とともに示す拡大斜視図である。複数のカム部材１１０は、それぞれ、３つの長穴状の係合穴１１０ａを有しており、それぞれの係合穴１１０ａには拍車保持体８４のピン８４ａが係合している。そして、同図の拍車保持体８４は、図示しないガイド対向部材の保持溝にスライド移動可能に保持されている。第２回動軸部材１１２の回動に伴ってカム部材１１０が揺動すると、カム部材１１０の係合穴１１０ａにピン８４ａを係合させている拍車保持体８４がスライド移動する。同図においては、それぞれのカム部材１１０の揺動が、拍車保持体８４のピン８４ａを係合穴１１０ａの上端付近に位置させる場所で停止している。この状態では、図１５に示すように、カム部材１１０の先端から拍車保持体８４の先端部が大きく突出する。そして、拍車保持体８４の先端部に保持されている拍車８２が図示しないガイド対向部材のおもて面から突出して図示しない反転排紙路内に位置する。
【００５７】
一方、第２回動軸部材１１２が図１４の状態から所定の角度だけ図中時計回り方向に回転すると、図１６に示すように、それぞれのカム部材１１０の揺動が、拍車保持体８４のピン８４ａを係合穴１１０ａの下端付近に位置させる場所で停止する。すると、図１７に示すように、カム部材１１０の先端からの拍車保持体８４の突出量が減少する。そして、拍車保持体８４の先端部に保持されている拍車８２が図示しない反転排紙路の外に待避する。
【００５８】
このように、本複写機では、第２回動軸部材１１２の回動に伴って拍車８２が押さえ位置と待避位置との間で移動せしめられる。なお、先に図１３に示した第１回動軸部材１１１も、同様にして拍車８２を押さえ位置と待避位置との間で移動せしめる。
【００５９】
図１８は、反転排紙部７６を側方から示す側面図である。反転排紙部７６は、その側部に、複数のギヤからなる連動機構を有している。具体的には、開閉扉７９の回動軸７９ａの近傍には、三日月状の固定ギヤ１２０が固定されており、この固定ギヤ１２０の湾曲面には複数の歯車が形成されている。一方、反転排紙部７６の筐体側には、第１ギヤ１１９、第２ギヤ１１４、第３ギヤ１１５、第４ギヤ１１６、第５ギヤ１１７、第６ギヤ１１８がそれぞれ回動自在に設けられている。そして、第１ギヤ１１９は、開閉扉７９に固定された固定ギヤ１２０に噛み合っている。また、第４ギヤ１１６は、第１回動軸部材１１１の一端部に固定されている。また、第６ギヤ１１８は、第２回動軸部材１１２の一端部に固定されている。開閉扉７９が開閉すると、これに連動して各ギヤが回動する仕組みである。
【００６０】
同図の状態では、開閉扉７９が筐体に対して閉じられており、拍車８２がガイド対向部材８３のおもて面から反転排紙路８１に向けて突出する押さえ位置にある。この状態から開閉扉７９が開かれると、それに連動して各ギヤが回転する。そして、それに伴って第１回動軸部材１１１や第２回動軸部材１１２が回転して、それらに固定されているカム部材１１０がそれぞれ少し回転する。すると、図１９に示すように、反転排紙路８１が外部に露出するとともに、拍車８２が待避位置に待避する。この逆に、開閉扉７９が閉じられると、それに連動して拍車８２が押さえ位置に移動する。このように、本複写機では、連動機構（各ギヤ）、第１回動軸部材１１１、第２回動軸部材１１２、カム１１０などからなる拍車移動手段が、開閉扉の開閉動作に連動して、拍車８２と拍車保持体８４との組み合わせを押さえ位置と待避位置との間で移動せしめるようになっている。
【００６１】
図２０は、実施形態に係る複写機の変形例装置における反転排紙部７６の一部を示す拡大斜視図である。この変形例装置の拍車移動手段は、上述した連動機構の代わりに、駆動機構を有している。そして、複数のギヤ（１３１、１３２、１３３）を介して、駆動源たる拍車駆動モータ１３０の回転駆動力を第１回転軸部材１１１や第２回転軸部材１１２に伝達する。この拍車駆動モータ１３０の駆動は、図示しないモータ制御回路によって制御され、このモータ制御回路には、反転排紙部７６の透過型フォトセンサ１３６や、図示しない開閉扉が閉じられた状態にあることを検知する閉扉検知センサが接続されている。
【００６２】
第２回動軸部材１１２の一端部には、検知板１３５が固定されており、第２回動軸部材１１２とともに回動する。そして、その回動位置によっては、図示のように、透過型フォトセンサ１３６によって検知される位置まで移動する。このように検知板１３５が透過型フォトセンサ１３６による検知位置に移動した状態では、拍車８２が図示しない反転排紙路内で記録紙を押さえる押さえ位置にある。
【００６３】
上述のモータ制御回路は、上記閉扉検知センサからの出力信号に基づいて、開閉扉（７９）が筐体に対して閉じられたことを検知すると、透過型フォトセンサ１３６によって第２回動軸部材１１２上の検知板１３５が検知されるまで、拍車駆動モータ１３０を逆回転させる。これにより、拍車８２が押さえ位置まで移動せしめられる。
【００６４】
一方、モータ制御回路は、上記閉扉検知センサが閉扉を検知しなくなる、即ち、開閉扉が開かれると、透過型フォトセンサによって検知板１３５が検知されなくなるまで、拍車駆動モータ１３０を正回転させる。これにより、拍車８２が待避位置まで移動せしめられる。
【００６５】
これまで、インクジェット方式によって画像を形成する複写機について説明したが、電子写真方式によって画像を形成する画像形成装置にも、本発明の適用が可能である。
【００６６】
以上、実施形態に係る複写機や変形例装置においては、ガイド対向部材８３として、拍車保持体８４を押さえ位置側と待避位置側との間でスライド移動可能に保持する保持部たる保持溝７３ｃと、拍車保持体８４とともに待避位置側から押さえ位置側に移動してきた拍車８２の突起を受け入れてガイド対向部材８３のおもて面よりも反転排紙路８１に向けて突出させる開口８３ｄとを設けたものを用いている。そして、拍車移動手段として、ガイド対向部材８３の保持溝８３ｃに保持される拍車保持体８４をスライド移動させることで拍車８２及び拍車保持体８４の組合せを押さえ位置と待避位置との間で移動させるものを用いている。かかる構成では、拍車保持体を保持する部材としてガイド対向部材８３を利用することで、拍車保持体を保持するための専用の部材を設けることなく、拍車保持体を移動させることができる。
【００６７】
また、実施形態に係る複写機や変形例装置においては、ガイド対向部材８３として、保持溝８３ｃと開口８３ｄとの組合せを複数設けたものを用いているので、複数の拍車８２や拍車保持体８４をガイド対向部材８３に保持させる。そして、複数の拍車８２によって反転排紙路８１内の記録紙を押さえることができる。
【００６８】
また、実施形態に係る複写機や変形例装置においては、ガイド対向部材８３として、開口８３ｄを記録紙搬送方向に沿って複数設けたものを用いている。そして、拍車移動手段として、それら複数の開口８３ｄに対応する複数の拍車保持体８４にそれぞれ係合する複数の係合穴１１０ａ（係合部）を有する係合部材たるカム部材１１０の動きにより、それら複数の拍車保持体８４を押さえ位置側と待避位置側との間で移動させるものを用いている。かかる構成では、複数の拍車保持体８４を１つのカム部材１１０の動きによって移動させることができる。
【００６９】
また、実施形態に係る複写機や変形例装置においては、ガイド対向部材８３として、そのおもて面方向に沿う方向であって且つ記録紙搬送方向に直交する方向に並べて開口８３ｄを複数（１０個）設けたものを用いている。そして、拍車移動手段として、記録紙搬送方向と直交する方向に延在する軸部材たる第１回動軸部材１１１や第２回動軸部材１１２の回動により、それら複数の開口８３ｄに対応する複数の拍車保持体８４を押さえ位置側と待避位置側との間で移動させるものを用いている。かかる構成では、記録紙搬送方向と直交する方向に並ぶ複数の開口８３ｄにそれぞれ個別に対応する複数の拍車保持体８４を、１つの回動軸部材（１１１、１１２）の回動によって移動させることができる。
【００７０】
また、実施形態に係る複写機や変形例装置においては、ガイド部材８０として、ガイド対向部材８３に対向する搬送路形成位置（開閉扉７９が閉じられた状態における位置）と、搬送路形成位置から待避することで反転排紙路８１内に滞った記録紙を露出させる待避位置（開閉扉７９が開かれた状態における位置）との間で移動可能にしたものを用いている。かかる構成では、ガイド部材８０を待避位置に待避させることで、反転排紙路８１を露出させてジャム処理操作性を向上させることができる。
【００７１】
また、実施形態に係る複写機においては、拍車移動手段として、ガイド部材８０の移動（より詳しくは開閉扉の開閉動作）に連動して拍車保持体８４を移動させる連動機構を有するものを用いているので、モータなどの駆動源を用いることなく、拍車保持体８４や拍車８２を移動させることができる。
【００７２】
また、変形例装置においては、拍車移動手段として、駆動源たる拍車駆動モータ１３０の駆動力によって拍車保持体８４を移動させるものを用いているので、拍車保持体８４の移動を上述したモータ制御回路などの制御手段によって制御することができる。
【図面の簡単な説明】
【００７３】
【図１】実施形態に係る複写機を示す概略構成図。
【図２】同複写機の画像形成部を情報から示す平面図。
【図３】同複写機の画像形成部と副操作搬送部とを示す拡大構成図。
【図４】同複写機の記録後搬送部と反転排紙部とを示す拡大構成図。
【図５】上ガイド板が開かれた状態にある同記録後搬送部と、同反転排紙部とを示す拡大構成図。
【図６】開閉扉が開かれた状態にある同反転排紙部を示す拡大構成図。
【図７】同反転排紙部のガイド対向部材を開閉扉側から示す斜視図。
【図８】同反転排紙部の拍車及び拍車保持体の組み合わせを示す拡大斜視図。
【図９】同ガイド対向部材の一部をその裏面側から示す拡大斜視図。
【図１０】同ガイド対向部材の保持溝に係合した同組み合わせを示す拡大斜視図。
【図１１】押さえ位置にある同組み合わせを示す拡大構成図。
【図１２】待避位置にある同組み合わせを示す拡大構成図。
【図１３】同反転排紙部を同ガイド対向部材の裏面側から示す斜視図。
【図１４】同反転排紙部の第２回動軸部材の一部をこれに固定されたカム部材とともに示す拡大斜視図。
【図１５】同カム部材を同ガイド対向部材のおもて面側から示す拡大斜視図。
【図１６】図１４の状態から少しだけ回転した同カム部材を同ガイド対向部材の裏面側から示す拡大斜視図。
【図１７】図１５の状態から少しだけ回転した同カム部材を同ガイド対向部材のおもて側から示す拡大斜視図。
【図１８】同反転排紙部を側方から示す側面図。
【図１９】開閉扉を開いた状態の同反転排紙部を示す側面図。
【図２０】変形例装置における反転排紙部の一部を示す拡大斜視図。
【図２１】開閉扉を開いた状態の同反転排紙部の一部を示す拡大斜視図。
【符号の説明】
【００７４】
２：画像形成部（画像形成手段）
５：記録紙（記録部材）
７６：反転排紙部（記録部材搬送装置）
７９：開閉扉
８０：ガイド部材
８１：反転排紙路（搬送路）
８２：拍車
８３：ガイド対向部材
８３ｃ：保持溝（保持部）
８３ｄ：開口
１１０：カム部材（拍車移動手段の一部、係合部材）
１１０ａ：係合穴（係合部）
１１１：第１回動軸部材（拍車移動手段の一部、軸部材）
１１２：第２回動軸部材（拍車移動手段の一部、軸部材）
１１４：第２ギヤ（拍車移動手段の一部）
１１５：第３ギヤ（拍車移動手段の一部）
１１６：第４ギヤ（拍車移動手段の一部）
１１７：第５ギヤ（拍車移動手段の一部）
１１８：第６ギヤ（拍車移動手段の一部）
１１９：第１ギヤ（拍車移動手段の一部）
１２０：固定ギヤ（拍車移動手段の一部）
【図１】
2008023902.tif 000003
【図２】
2008023902.tif 000004
【図３】
2008023902.tif 000005
【図４】
2008023902.tif 000006
【図５】
2008023902.tif 000007
【図６】
2008023902.tif 000008
【図７】
2008023902.tif 000009
【図８】
2008023902.tif 000010
【図９】
2008023902.tif 000011
【図１０】
2008023902.tif 000012
【図１１】
2008023902.tif 000013
【図１２】
2008023902.tif 000014
【図１３】
2008023902.tif 000015
【図１４】
2008023902.tif 000016
【図１５】
2008023902.tif 000017
【図１６】
2008023902.tif 000018
【図１７】
2008023902.tif 000019
【図１８】
2008023902.tif 000020
【図１９】
2008023902.tif 000021
【図２０】
2008023902.tif 000022
【図２１】
2008023902.tif 000023